(57)【特許請求の範囲】
【請求項１】
上方に開口部を設け、ロープ等を接続したフックを収容挟持して保持する断面Ｕ字状のフック保持部材と、
このフック保持部材に一端部が固定され底部下方に向け延長して設けられた棒状の把持部材とを具備し、
前記フック保持部材は、一端部が前記フックに係止された係止紐を挿通して前記把持部材に沿い這わせたことを特徴とするフック取付け装置。
【請求項２】
前記フック保持部材は、前記断面Ｕ字状の幅を調節可能に構成された幅調節機構を具備することを特徴とする請求項１記載のフック取付け装置。
【請求項３】
前記フック保持部材は、前記断面Ｕ字状内側面に滑り止め部を形成したことを特徴とする請求項１または請求項２に記載のフック取付け装置。
【発明の詳細な説明】
【０００１】
【発明の属する技術分野】
この発明は、例えば建物内へのエレベータ据付け工事において、昇降路内へのエレベータ組み込み作業に使用して好適なフック取付け装置に関する。
【０００２】
【従来の技術】
乗りかごやガイドレール等のエレベータの主要部は、建物内での複数階にわたって貫通して設けれた昇降路内に据付けられる。エレベータの据付け作業は、格別足場のない昇降路内を昇降移動して行う必要から、作業員は、昇降路内天井から吊り下げられたゴンドラに乗り込んでの作業を行うこととなる。
【０００３】
ゴンドラが昇降路内を昇降移動するためには、例えば、ゴンドラの台枠にロープ巻取機を搭載し、その巻取機により天井壁に吊下げたゴンドラ用のロープの巻取りあるいは巻き戻し操作により行われる。そのゴンドラ用ロープや命綱等の作業用補助ロープを昇降路天井壁から吊り下げるために、従来は、図６に示すように、ゴンドラ用ロープ２や補助ロープ３をフック４に連結し、そのフック４を、予め天井壁５のほぼ中央部に埋め込んだＵ字状の固定金具５ａに係止していた。
【０００４】
そこで、昇降路内で重さの大きなフック４を固定金具５ａに係止させるために、作業員は、まず昇降路内への足場６の組み立てを行う必要があり、そのために昇降路内への足場６の組み立て作業を必要とした。
【０００５】
このように、従来、エレベータの据付け工事では、実際に組み立て作業に先立ち、作業用ゴンドラの設置等のために、足場の搬入組み立てと解体搬出等が行われた。
【０００６】
なお、エレベータの据付け作業が終了したとき、用済みのゴンドラ用ロープ２や補助ロープ３を回収するときには、乗りかごの上に作業員が乗り、固定金具５ａからフック４を取り外ずし回収することができる。
【０００７】
【発明が解決しようとする課題】
上記のように、エレベータの据付け作業に際し、ゴンドラ用ロープや補助ロープを連結したフックを固定金具５ａに係止するために、昇降路内に足場の組み立て作業を必要とする上、作業員の作業自体が組み立てられた足場の上で行うこととなるので、作業の安全確保とエレベータ据付け工事の効率化の点から改善が要望されていた。
【０００８】
【課題を解決するための手段】
この発明は、上記従来の課題を解決するためになされたもので、請求項１に記載の発明は、上方に開口部を設け、ロープ等を接続したフックを収容挟持して保持する断面Ｕ字状のフック保持部材と、このフック保持部材に一端部が固定され底部下方に向け延長して設けられた棒状の把持部材とを具備し、前記フック保持部材は、一端部が前記フックに係止された係止紐を挿通して前記把持部材に沿い這わせたことを特徴とする。
【０００９】
このように請求項１記載のフック取付け装置は、断面Ｕ字状のフック保持部材と棒状の把持部材とを有するので、作業員は、格別昇降路内の足場を使用することなく、把持部材の下方部を持ち、最上階の階床のエレベータホールから遠隔操作により、フック保持部材に収容したフックを天井壁に設けた固定金具に係止させることができ、また、フック保持部材は、一端部がフックに係止された係止紐を挿通して把持部材に沿い這わせているから、作業員がその係止紐の他端部を確保することにより、誤ってフックが昇降路内に落ちてしまうのを避けることができる。
【００１０】
請求項２に記載の発明は、請求項１記載のフック取付け装置において、フック保持部材は、断面Ｕ字状の幅を調節可能に構成された幅調節機構を具備することを特徴とする。
【００１１】
このように、請求項２に記載の発明は、フック保持部材に幅調節機構を設けたので、フックの幅のばらつきに対応して、Ｕ字状の幅を適度に調整することができ、取付け作業中にフックが保持部材からずれ落ちるような不具合を軽減することができる。
【００１２】
請求項３に記載の発明は、請求項１または請求項２に記載の発明によるフック取付け装置において、フック保持部材は、断面Ｕ字状内側面に滑り止め部を形成したことを特徴とする。
【００１３】
このように請求項３に係る発明によれば、フック保持部材の内側面に滑り止め部を形成したことで、フックの保持力が高まり、フックの滑り落ちを防ぐことができ、請求項２の発明の作用と同様にあるいは請求項２の発明の作用に加えて、作業員はより確実にフックを天井壁に取り付けることができる。
【００１８】
【発明の実施の形態】
以下この発明によるフック取付け装置の一実施の形態を図１ないし図５を参照して詳細に説明する。なお、図６に示した従来の構成と同一構成には同一符号を付して、詳細な説明は省略する。
【００１９】
図１は、本発明によるフック取付け装置の一実施の形態を示した斜視図、図２は図１の拡大平面図、また図３は図１に示したフック取付け装置がフックを収納保持しようとする状態を示した斜視図である。
【００２０】
すなわち、図１ないし図３に示したように、フック取付け装置７は、フック４を受け入れ、挟持して保持するように上方に開口部７１１を形成した断面Ｕ字状のフック保持部材７１と、このフック保持部材７１に一端部が固定され、その底部７１２から下方に延長して設けられた棒状の把持部材７２とから構成されている。
【００２１】
フック保持部材７１がフック４を収納挟持して保持するために、そのＵ字状の開口幅ｄは、フック４の外形幅よりも若干狭く形成されているが、フック４の形状・大きさのばらつきに応じて開口幅ｄを適宜調整し、適度な保持力を確保できるように、Ｕ字状部にはねじ棒７１３ａ及びナット７１３ｂとの組合わせからなる幅調節機構７１３が設けられている。
【００２２】
また、Ｕ字状をなしたフック保持部材７１の互いに対向側面の内側には、例えばゴム部材のようなシート状の滑り止め部材７１４が貼り付けられていて、作業員が収納したフック４を昇降路天井壁５に取り付けた固定金具５ａに係止すべく、上方に持ち上げたときに、フック４がフック保持部材７１から滑り落ちることがないように構成されている。なお、この実施の形態ではフック保持部材７１の対向側面に滑り止め部材７１４を貼り付けたが、滑り止め部材７１４に代えてフック保持部材７１の内側面を凹凸加工し、大きな摩擦力が得られ、フック４の保持力を高めるようにしても良い。
【００２３】
さらにまた、フック保持部材７１の底部７１２には、図２に示すように、貫通孔７１５が設けられていて、図３に示したように、フック４に一端を固定した係止紐４１をその貫通孔７１５から通してその他端部を作業員が保持するように構成し、仮にフック４がフック保持部材７１から滑り落ちても、ゴンドラ用ロープ２やフック４の重量物がフック保持部材７１からずれ落ち、昇降路のピットに落下するのを防止することができる。もっとも、係止紐４１自体は、フック４がフック保持部材７１に保持されてずれ落ちることなく、また仮にずれ落ちても昇降路内への落下を防ぐためのものであるから、必ずしも貫通孔７１５によることなく、例えばリング状の金具をフック保持部材７１に固定し、その中を通すようにしても良い。
【００２４】
次に、保持部材７１の底部７１２に固定して設けられる棒状の把持部材７２は、この実施の形態では、図３に示したように、前記貫通孔７１５に連なり係止紐４１を中に通す筒体７２１と、この筒体７２１に連結部材７２２を介して固定された長尺の把持棒７２３とから構成される。
【００２５】
長尺の把持棒７２３は、作業員がフック４の取付け作業のやりやすい長さに適宜変えることができるように、図示しないが、例えば傘等の柄に見られるようにキーを用いた軸継手を採用した長さ調整機構、または伸縮物干し竿に見られるように２本の竿で構成された一本の竿を回転させることにより、任意の位置で長さ調整できる機構を採用することができる。
【００２６】
上記構成のフック取付け装置を用いて、作業員がフック４を天井壁５の固定金具５ａに掛ける手順を図３ないし図５を参照して説明する。
【００２７】
すなわち、作業員は、図３に示したように、係止紐４１をフック保持部材７１の貫通孔７１５及び把持部材７２の筒体７２１を通して作業員の手元まで引き寄せ確保するとともに、フック４を矢印Ａ方向に押し込み、図４に示したようにフック保持部材７１に係止させる。このとき、フック４は、その可動係止片４２が固定金具５ａに向くようにフック保持部材７１に装着される。
【００２８】
そこで、作業員は一方では係止紐４１を確保しつつ、把持部材７２を持ち上げ、図４に矢印Ｂに示したように押し出すことによって、フック４はＵ字状の固定金具５ａに嵌め込み係止される。
【００２９】
フック４がＵ字状の固定金具５ａに嵌め込み係止されたことを確認し、作業員は、係止紐４１を緩めつつ、手に持った把持部材７２を図５に示すように、矢印Ｃ方向に引き込むことによって、フック４はフック保持部材７１から離れ、フック４のＵ字状の固定金具５ａへの取付け作業は完了する。係止紐４１はそのまま、筒体７２１及び貫通孔７１５を抜け、昇降路内に垂れ下がる。
【００３０】
なお、上記実施の形態で、把持部材７２の構成を、把持棒７２３が直接フック保持部材７１に接続固定された構成とし、筒体７２１及び連結７２２を省略しても良い。
【００３１】
以上説明のように、本発明によるフック取付け装置によれば、昇降路内に格別足場を組み立てることなく、作業員は最上階のエレベータホール側から遠隔操作により簡単にフックを固定金具に取付けることができるので、安全かつ効率良くエレベータの据付け工事を行うことができる。
【００３２】
【発明の効果】
この発明のフック取付け装置によれば、エレベータの据付け工事等において、ゴンドラ吊下げ用ロープを昇降路天井壁に簡単かつ安全に取り付けることができるものであり、据付け工事の効率化が図られ、実用に際し顕著な効果を得ることができる。
【図面の簡単な説明】
【図１】この発明によるフック取付け装置の一実施の形態を示す斜視図である。
【図２】図１に示す装置の平面図である。
【図３】図１に示す装置がフックを保持する様子を説明する斜視図である。
【図４】図１に示す装置がフックを固定金具に係止する様子を説明する斜視図である。
【図５】図１に示す装置を、固定金具に係止されたフックから引き離される様子を説明した斜視図である。
【図６】従来、フックを固定金具に係止する昇降路内を状況を説明する断面図である。
【符号の説明】
２  ゴンドラ用ロープ
３  補助ロープ
４  フック
４１  係止紐
４２  可動係止片
５  （昇降路）天井壁
５ａ  固定金具
６  足場
７  フック取付け装置
７１  フック保持部材
７１４  滑り止め部材（滑り止め部）
７１５  貫通孔
７２  把持部材
７２３  保持棒
【図１】
0004363726.tif 000002
【図２】
0004363726.tif 000003
【図３】
0004363726.tif 000004
【図４】
0004363726.tif 000005
【図５】
0004363726.tif 000006
【図６】
0004363726.tif 000007